(57)【要約】【課題】  本発明は、本発明は、電線用プラグであってアース棒を着脱自在とし、アース棒付きで使用することができると共にアース棒を取り外しても使用できる電線用プラグを供給することを課題とする。また、つまみ部を設けることなくアース棒の移動を可能にし、アース棒を指先の非常に簡単な操作で容易に着脱可能にすることを目的とする。【解決手段】  アース棒を挿入するための挿入部をケース内に有し、アース棒を着脱自在に装着することのできる電線用プラグであって、アース棒を挿入部に挿入したときに、アース棒を挿入部から押出す方向へ付勢する弾性部材が挿入部内に存在しており、挿入したアース棒を軸線を中心に所定の角度回動させたときに、前記弾性部材の反力によってアース棒が挿入部から抜け出ることを規制するための係止構造がアース棒と挿入部に設けられている。【選択図】  図１
2006216335.tif 000002
【特許請求の範囲】
【請求項１】
アース棒を挿入するための挿入部をケース内に有し、アース棒を着脱自在に装着することのできる電線用プラグであって、アース棒を挿入部に挿入したときに、アース棒を挿入部から押出す方向へ付勢する弾性部材が挿入部内に存在しており、挿入したアース棒を軸線を中心に所定の角度回動させたときに、前記弾性部材の反力によってアース棒が挿入部から抜け出ることを規制するための係止構造がアース棒と挿入部に設けられており、それらの係止構造が協働してアース棒が抜け出すことを規制することを特徴とする電線用プラグ。
【請求項２】
アース棒に設けられている前記係止構造は、アース棒の外周面よりも外側にはみ出すように形成されたアース棒の突出部であり、挿入部に設けられている前記係止構造は、挿入部の内面に突出部を設けることにより形成される通し口であり、該通し口は、アース棒を一定の位置で通し口に挿入するときにのみアース棒の突出部と共に通過可能である形状に形成され、アース棒の突出部が通し口を完全に通過したあとでアース棒をその軸線を中心に回動することにより該アース棒の突出部と通し口を形成する突出部が重なり、アース棒が弾性部材の付勢力で抜け出すことを規制する請求項１記載の電線用プラグ。
【請求項３】
アース棒に、外周が小判形に形成された係止胴部が一体に設けられ、該係止胴部の小判形の少なくとも両端部分がアース棒の外周面よりもはみ出すアース棒の突出部であり、挿入部内にこの係止胴部よりも大きな小判形の通し口が形成され、アース棒の突出部が通し口を通過したあとでアース棒をその軸線を中心に回動したときに、アース棒の突出部と通し口を形成する突出部が重なる請求項２記載の電線用プラグ。
【請求項４】
アース棒の突出部が通し口を通過したあとでアース棒をその軸線を中心に回動するとき、アース棒が所定の回動角を回動した後それ以上回動しないように規制する手段が挿入部に設けられている請求項３記載の電線用プラグ。
【請求項５】
挿入部の通し口よりも奥の内面に奥の突出部が設けられ、係止胴部が所定の回動角を回動したときに、係止胴部が奥の突出部に突き当たる位置に奥の突出部が設けられている請求項４記載の電線用プラグ。
【請求項６】
アース棒が所定の回動方向と逆方向に回動することを規制する手段が挿入部に設けられている請求項４又は請求項５記載の電線用プラグ。
【請求項７】
挿入部の通し口よりも奥の内面に第２の奥の突出部が設けられ、係止胴部が所定の回動方向と逆方向に回動しようとするときに、係止胴部が第２の奥の突出部に突き当たる位置に第２の奥の突出部が設けられている請求項６記載の電線用プラグ。
【請求項８】
アース棒の突出部が通し口を通過したあとで、アース棒のそれ以上の侵入を阻止する手段が設けられている請求項２乃至請求項７記載の電線用プラグ。
【請求項９】
アース棒の係止胴部よりも前端寄りに間隔を置いて円形の膨出部が形成されており、該膨出部が通し口を形成する突出部に当たってアース棒がそれ以上挿入部に進入することを規制する請求項８記載の電線用プラグ。
【発明の詳細な説明】
【技術分野】
【０００１】
本発明は電線用プラグに関する。
【背景技術】
【０００２】
１つの装置でダブルプラグとシングルプラグとを兼用することができるプラグ装置は存在する（例えば、特許文献１参照。）。
【特許文献１】特開平９−２０４９６６号公報
【発明の開示】
【発明が解決しようとする課題】
【０００３】
本発明は、電線用プラグであってアース棒を着脱自在とし、アース棒付きで使用することができると共にアース棒を取り外しても使用できる電線用プラグを供給することを課題とする。
【０００４】
特許文献１は、１つの装置でダブルプラグとシングルプラグとを兼用できるプラグ装置であって、本発明のようにアース棒を有するプラグと有しないプラグとを兼用するものではない。しかし、技術的な内容で共通している。
【０００５】
特許文献１のプラグ装置は、３極プラグと２極プラグとを備えており、２極プラグが不要であるときはこの２極プラグをケース内に没入させる構成である。
【０００６】
特許文献１の２極プラグを出し入れする構成は、プラグを移動させるためのプラグ可動機構を備え、このプラグ可動機構はケースの外部から操作するためのつまみ部を有しており、つまみ部を操作することで２極プラグを出し入れする。したがって、このつまみ部の装置をケースに設けなければならないから構造が複雑となり、製造コストも高くなる。また、プラグを出し入れするときにつまみ部で移動させることは手間がかかる。
【０００７】
特許文献１のプラグ装置以外のものとして、アース棒をケースにネジで結合して取り外し可能にしたものがある。構造は簡単であるが、アース棒は細く形成されており、ネジをきつく締めたときは、指で外すときに指が滑ったりするので容易に外すことができない。プライヤーなどの手工具でアース棒を挟んで回動しなければならない。そこで、本発明は、つまみ部を設けることなくアース棒の移動を可能にし、アース棒を指先の非常に簡単な操作で容易に着脱可能にすることを目的とする。
【課題を解決するための手段】
【０００８】
本発明の請求項１は、アース棒を挿入するための挿入部をケース内に有し、アース棒を着脱自在に装着することのできる電線用プラグであって、アース棒を挿入部に挿入したときに、アース棒を挿入部から押出す方向へ付勢する弾性部材が挿入部内に存在しており、挿入したアース棒を軸線を中心に所定の角度回動させたときに、前記弾性部材の反力によってアース棒が挿入部から抜け出ることを規制するための係止構造がアース棒と挿入部に設けられており、それらの係止構造が協働してアース棒が抜け出すことを規制する構成である。
【０００９】
請求項２は、アース棒に設けられている前記係止構造は、アース棒の外周面よりも外側にはみ出すように形成されたアース棒の突出部であり、挿入部に設けられている前記係止構造は、挿入部の内面に突出部を設けることにより形成される通し口であり、該通し口は、アース棒を一定の位置で通し口に挿入するときにのみアース棒の突出部と共に通過可能である形状に形成され、アース棒の突出部が通し口を完全に通過したあとでアース棒をその軸線を中心に回動することにより該アース棒の突出部と通し口を形成する突出部が重なり、アース棒が弾性部材の付勢力で抜け出すことを規制する要素が請求項１に付加された構成である。
【００１０】
請求項３は、アース棒に、外周が小判形に形成された係止胴部が一体に設けられ、該係止胴部の小判形の少なくとも両端部分がアース棒の外周面よりもはみ出すアース棒の突出部であり、挿入部内にこの係止胴部よりも大きな小判形の通し口が形成され、アース棒の突出部が通し口を通過したあとでアース棒をその軸線を中心に回動したときに、アース棒の突出部と通し口を形成する突出部が重なる要素が請求項２に付加された構成である。
【００１１】
請求項４は、アース棒の突出部が通し口を通過したあとでアース棒をその軸線を中心に回動するとき、アース棒が所定の回動角を回動した後それ以上回動しないように規制する手段が挿入部に設けられている要素が請求項３に付加された構成である。
【００１２】
請求項５は、挿入部の通し口よりも奥の内面に奥の突出部が設けられ、係止胴部が所定の回動角を回動したときに、係止胴部が奥の突出部に突き当たる位置に奥の突出部が設けられている要素が請求項４に付加された構成である。
【００１３】
請求項６は、アース棒が所定の回動方向と逆方向に回動することを規制する手段が挿入部に設けられている要素が請求項４又は請求項５に付加された構成である。
【００１４】
請求項７は、挿入部の通し口よりも奥の内面に第２の奥の突出部が設けられ、係止胴部が所定の回動方向と逆方向に回動しようとするときに、係止胴部が第２の奥の突出部に突き当たる位置に第２の奥の突出部が設けられている要素が請求項６に付加された構成である。
【００１５】
請求項８は、アース棒の突出部が通し口を通過したあとで、アース棒のそれ以上の侵入を阻止する手段が設けられている要素が請求項２乃至請求項７に付加された構成である。
【００１６】
請求項９は、アース棒の係止胴部よりも前端寄りに間隔を置いて円形の膨出部が形成されており、該膨出部が通し口を形成する突出部に当たってアース棒がそれ以上挿入部に進入することを規制する要素が請求項８に付加された構成である。
【発明の効果】
【００１７】
請求項１は、アース棒を挿入するための挿入部をケース内に有し、アース棒を着脱自在に装着することのできる電線用プラグであって、アース棒を挿入部に挿入したときに、アース棒を挿入部から押出す方向へ付勢する弾性部材が挿入部内に存在しており、挿入したアース棒をその軸線を中心に所定の角度回動させたときに、前記弾性部材の反力によってアース棒が挿入部から抜け出ることを規制するための係止構造がアース棒と挿入部に設けられており、それらの係止構造が協働してアース棒が抜け出すことを規制する構成である。したがって、アース棒をケースに取り付けるときは、挿入部内の弾性部材に抗してアース棒を挿入部に挿入し、次いでアース棒をその軸線を中心に所定の角度回動させる。この結果、弾性部材の反力によってアース棒が挿入部から抜け出ることを規制するための係止作用がはたらくので、アース棒は挿入部から抜け出すことがなく装着される。これにより、アース棒を有するプラグとして使用できる。アース棒を移動させるためのつまみ部がないので構造が簡単である。その分のコストを削減できる。挿入したアース棒を所定の角度回転させるだけで抜け出しが規制できるので、アース棒を挿入部内にロックするための操作が簡単であり取り扱い易い。ロックを外したときに弾性部材によって自動的にアース棒が押出されるので、アース棒の取り外しが簡単である。
【００１８】
請求項２は、アース棒に設けられている前記係止構造が、アース棒の外周面よりも外側にはみ出すように形成されたアース棒の突出部であり、挿入部に設けられている前記係止構造は、挿入部の内面に突出部を設けることにより形成される通し口であり、該通し口は、アース棒を一定の位置で通し口に挿入するときにのみアース棒の突出部と共に通過可能である形状に形成され、アース棒の突出部が通し口を完全に通過したあとでアース棒をその軸線を中心に回動することにより該アース棒の突出部と通し口を形成する突出部が重なり、アース棒が弾性部材の付勢力で抜け出すことを規制する構成である。したがって、アース棒と挿入部とに設けられている係止構造はいずれも突出部を設けるだけであるから構造が簡単である。製造も楽であってコストを削減できる。また、アース棒のロックを外すときは、ロックをするときと逆の操作をすればよい。すなわち、アース棒をその軸線を中心に逆方向に回動する。回動を途中で止めなくても、アース棒の係止構造が通し口を通る位置に来たときに、弾性部材の反力でアース棒の係止構造は通し口を自動的に通過してアースを抜くことができる。
【００１９】
請求項３は、アース棒に、外周が小判形に形成された係止胴部が一体に設けられ、該係止胴部の小判形の少なくとも両端部分がアース棒の外周面よりもはみ出すアース棒の突出部であり、挿入部内にこの係止胴部よりも大きな小判形の通し口が形成され、アース棒の突出部が通し口を通過したあとでアース棒をその軸線を中心に回動したときに、アース棒の突出部と通し口を形成する突出部が重なる構成である。アース棒の係止構造として小判形の係止胴部を形成すればよく、係止構造の製造が楽であり、コストが軽減できる。また、小判形であるからアース棒を手に持ったときに手を傷付ける虞がない。挿入部の係止構造は小判形の通し口であって製造が楽であり、コストが軽減できる。アース棒のロックは小判形の少なくとも両端部分で行われるから、ロックが安定する。
【００２０】
請求項４は、アース棒の突出部が通し口を通過したあとでアース棒をその軸線を中心に回動するとき、アース棒が所定の回動角を回動した後それ以上回動しないように規制する手段が挿入部に設けられている構成である。したがって、自動的に回動が止められるので、使用者がアース棒をどの程度回動させるのか迷うことがなく使用できる。また、回動させ過ぎると、ロックを外すときに大きな角度で反転させなければならないので手間がかかる。所定の回動角で自然に止めることができれば、反転の角度も小さくて済み手間がかからない。
【００２１】
請求項５は、挿入部の通し口よりも奥の内面に奥の突出部が設けられ、係止胴部が所定の回動角を回動したときに、係止胴部が奥の突出部に突き当たる位置に奥の突出部が設けられている構成である。係止胴部の回動角を規制する手段が、通し口よりも奥の内面に設けた突出部であって構成が簡単であり、コストを軽減できる。
【００２２】
請求項６は、アース棒が所定の回動方向と逆方向に回動することを規制する手段が挿入部に設けられている構成である。アース棒を所定の回動角だけ回動させたときに、その回動を規制する手段は設けられている。しかし、アース棒を挿入したときに、回動すべき方向に回動せずに反対方向に回動してしまう虞がある。このときにもロック状態になるが、もとに戻すときにその都度どちらの方向にアース棒を回動させてよいか悩むことになる。そこで、挿入したアース棒は一定の方向のみ回動し、反対側には回動しない構成にすれば、元に戻すときに悩むことがない。
【００２３】
請求項７は、挿入部の通し口よりも奥の内面に第２の奥の突出部が設けられ、係止胴部が所定の回動方向と逆方向に回動しようとするときに、係止胴部が第２の奥の突出部に突き当たる位置に第２の奥の突出部が設けられている構成である。したがって、逆方向の回動を規制するための手段は第２の奥の突出部であって製造が楽であり、コストが軽減できる。
【００２４】
請求項８は、アース棒の突出部が通し口を通過したあとで、アース棒のそれ以上の侵入を阻止する手段が設けられている構成である。したがって、ロックした後にアース棒をコンセントのアース孔に差し込むときに、アース孔がきつくてもアース棒は確実に支持されケースの中にもぐっていくことがない。また、挿入部にアース棒を挿入するときに、アース棒が適正な位置まで挿入されたときに、アース棒がそれ以上進入しないので無駄に奥まで挿入させてしまうことがない。
【００２５】
請求項９は、アース棒の係止胴部よりも前端寄りに間隔を置いて円形の膨出部が形成されており、該膨出部が通し口を形成する突出部に当たってアース棒がそれ以上挿入部に進入することを規制する構成である。したがって、アース棒の成形の際に、棒の一部に円形の膨出部を一体に形成すればよいので構造が簡単でその分のコストはほとんどかからない。
【発明を実施するための最良の形態】
【００２６】
次に本発明を実施するための最良の形態について説明する。この形態はケース１の前面に２つのブレード２，２と着脱自在のアース棒３が装着されている。図３に示すようにアース棒３の基本形状は断面が円形であって細長い棒状であり、後部に係止胴部４が形成されている。係止胴部４の断面形状は図６又は図７に示すように小判形である。係止胴部４の一対の平面状側面５，５間の厚みはアース棒３の円形断面の外径とほぼ等しい。係止胴部４の一対の弧状端部６，６間の距離はアース棒３の円形断面の外径よりも長い。したがって、弧状端部６，６はアース棒３の円形外周面よりも外側にはみ出している。係止胴部４よりも前方に少し間隔を置いて円形の膨出部７が一体に形成されている。
【００２７】
ケース１の内部にアース棒の挿入部８が設けられている。挿入部８は断面が円形の空洞部であって細長く形成されている。挿入部８の開口９からやや奥に三日月形の第一突出部１０，１０が対向して形成されている。図５に示すように、この第一突出部１０，１０が形成されることにより小判形の通し口１１が形成される。挿入部８は、この第一突出部１０，１０を境として、前方挿入部１２と後方挿入部１３に分けられている。後方挿入部１３の内径は前方挿入部１２の内径よりも長い。挿入部８の長さ方向に測る第一突出部１０，１０の幅は、アース棒の係止胴部４と膨出部７との間の隙間部１７よりもやや短い。したがって、第一突出部１０，１０は隙間部１７に入り込める。
【００２８】
前述した第一突出部１０，１０の奥に隣接して、三日月形の第二突出部１４，１４が対向して後方挿入部１２内に設けられている。第二突出部１４，１４は第一突出部１０，１０から３０度強右に回転させた位置に設けられている。第二突出部１４，１４が設けられている後方挿入部１３の内径は第一突出部１０，１０が設けられている前方挿入部１２の内径よりも大きいから、図８に示すように第二突出部１４，１４は通し口１１をほとんど塞ぐことがない。したがって、アース棒３の係止胴部４を開口９から挿入し、さらに通し口１１に挿通するときに、係止胴部４は第二突出部１４，１４に邪魔されずに通過する。なお、図８は挿入部８内のコイルバネ１５及びカバー１６を省略した図である。図６及び図７に示すように、第二突出部１４，１４を設けることによって、その間の挿入部は幅は狭くなり狭い挿入部１８が形成される。この狭い挿入部１８は通し口１１と形状等が共通しているが別のものである。
【００２９】
後方挿入部１３の中にコイルバネ１５が配置されている。コイルバネ１５の前端にカバー１６がかぶされている。コイルバネ１５は後方挿入部１３内で圧縮状態であり、カバー１６が第二突出部１４，１４に係止してコイルバネ１５は外に飛び出さない。
【００３０】
次に本発明の使用方法について説明する。まず、アース棒３をケース１に取り付ける方法について説明する。図８に示すようにブレード２，２が挿入部８よりも上方にあるときは、通し口１１は横長である。したがって、図１に示すようにケース１を図１のように手に持ったときは、小判形の係止胴部４も横長になるように手に持つ。それから、係止胴部４を開口９に宛がいそのまま前方挿入部１２に挿入する。係止胴部４と通し口１１は同じ小判形であって横長になっているから、係止胴部４は通し口１１を通過しカバー１６に当たる。そこで、コイルバネ１５の弾性に抗してアース棒３を押し込む。コイルバネ１５はさらに圧縮されて、係止胴部４は通し口１１を完全に通過して後方挿入部１３に挿入される。但し、係止胴部４の前方部分は狭い挿入部１８内に残っており、この状態を示したのが図６及び図７である。また、係止胴部４が後方挿入部１３に挿入されたときの、アース棒の係止胴部４と膨出部７との間の部分が通し口１１内に存在している状態を示したのが図５である。
【００３１】
係止胴部４を後方挿入部１３に挿入したときの狭い挿入部１８の状態は図７の通りである。したがって、係止胴部４はその角部が通し口１１の内面に当たって左後方に回動できない。そこで、係止胴部４を右方向にほぼ４５度回動すると図６の状態となる。係止胴部４の角部は通し口１１の内面に当たってそれ以上回動しない。回動した係止胴部４の一部が図５に示す第一突出部１０，１０と重なる。コイルバネ１５によって挿入部８から出る方向に付勢されているアース棒３は、この係止胴部４と第一突出部１０，１０との重なりによる係止作用により抜け出すことがない。これによって、ケース１にアース棒３を装着して使用することができる。
【００３２】
アース棒３がケース１に装着されて図６の状態にあるときに、ケース１からアース棒３を抜くときは、アース棒３を左に回動する。アース棒３を押すコイルバネ１５の力はそれほど強いものでなく、しかもアース棒３を回転するための力はアース棒３に垂直な平面内にあるのに対して、コイルバネ１５が押す力はアース棒と同じ向きである。したがって、アース棒３を回動するときにコイルバネ１５の力による抵抗は微小である。したがって、アース棒３がコイルバネ１５に付勢されていても、アース棒３は小さな力で容易に回動できる。アース棒３を左に回動すると図７の状態に戻り、係止胴部４の位置は図５の狭い挿入部１８と一致するので、アース棒３はコイルバネ１５の弾性力によって通し口１１から自然に抜ける。これにより、アース棒３をケース１から外すことができる。柔軟な樹脂で形成され、アース棒３がきつめに挿入される孔を有するアース棒保持片をケース１に取り付けておくことによって、アース棒が不要なときにその孔に挿入しておけばアース棒の紛失を防止できる。
【図面の簡単な説明】
【００３３】
【図１】本発明のアース棒取り付け前の断面図
【図２】本発明のアース棒取り付け後の断面図
【図３】アース棒の挿入前の斜視図
【図４】アース棒を挿入した状態の斜視図
【図５】図２におけるＡ−Ａ断面端面図
【図６】図２におけるＢ−Ｂ断面端面図
【図７】挿入したアース棒を回動する前のＢ−Ｂ線位置での断面端面図
【図８】コイルバネとカバーを省略したケースの前面図
【図９】ケースの上面図
【符号の説明】
【００３４】
１  ケース
２  ブレード
３  アース棒
４  係止胴部
５  平面状側面
６  弧状端部
７  膨出部
８  挿入部
９  開口
１０  第一突出部
１１  通し口
１２  前方挿入部
１３  後方挿入部
１４  第二突出部
１５  コイルバネ
１６  カバー
１７  隙間部
１８  狭い挿入部
【図１】
2006216335.tif 000003
【図２】
2006216335.tif 000004
【図３】
2006216335.tif 000005
【図４】
2006216335.tif 000006
【図５】
2006216335.tif 000007
【図６】
2006216335.tif 000008
【図７】
2006216335.tif 000009
【図８】
2006216335.tif 000010
【図９】
2006216335.tif 000011